【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
地図情報を表示する表示器が、画面上においてコマンド入力を可能とするタッチパネル型表示器からなるナビゲーション装置において、
上記タッチパネル型表示器に入力した手書き符号に対して搭載機能が選択されてそれぞれ割り当てられ、当該搭載機能を実行させるコマンド情報に対応して登録する記憶部と、
ユーザによって上記タッチパネル型表示器から入力された手書き符号を認識して上記記憶部に登録された登録符号との比較を行い、一致した登録符号を検出すると当該登録符号に割り当てられたコマンド情報に基づいて所定の搭載機能の実行を指示する制御部と、
上記制御部における入力符号と登録符号との比較結果に基づいて、選択された上記搭載機能をユーザに対して音声によって報知する音声出力部とを備え、
上記ユーザが上記音声報知を確認して上記タッチパネル型表示器から確認入力を行うことにより、当該搭載機能が実行されることを特徴とするナビゲーション装置。
【請求項２】
上記手書き符号が、一筆書き符号であることを特徴とする請求項１に記載のナビゲーション装置。
【請求項３】
上記記憶部に、上記コマンド情報として所定のユーザによる個人識別符号に基づく個人識別情報が登録され、
上記個人識別符号を認識することによって、所定機能の実行が可能とされることを特徴とする請求項１に記載のナビゲーション装置。
【請求項４】
上記記憶部に、複数のユーザがそれぞれに手書き符号に対して搭載機能を実行させる上記コマンド情報を割り当てて登録してなり、
所定のユーザによる個人識別符号が認識されることによって、各ユーザ毎に上記タッチパネル型表示器から入力された手書き符号に対応する上記登録符号が検出されて、所定機能の実行が個別に行われることを特徴とする請求項３に記載のナビゲーション装置。
【手続補正２】
【補正対象書類名】明細書
【補正対象項目名】０００５
【補正方法】変更
【補正の内容】
【０００５】
ナビゲーション装置は、かかるタッチパネル型表示器を用いることによって、例えば画面上に複数のアイコンを表示させるようにするとともに所定のアイコンが選択されてクリック操作が行われると所定の画面に切換えられる。したがって、ナビゲーション装置は、多機能化が図られた場合でも装置本体の操作部やリモートコントローラによる操作と比較して操作性の向上が図られるようになる。ナビゲーション装置は、ユーザが運転しながらでもアイコンのクリック操作といった簡単な方法によって機能切換が行われることで、安全性の向上が図られるようになる。
【手続補正３】
【補正対象書類名】明細書
【補正対象項目名】００１６
【補正方法】変更
【補正の内容】
【００１６】
ナビゲーション装置１は、ナビゲーション機能とともに、例えばオーディオ機能やラジオ放送或いはテレビ放送を受信するチューナ機能を有しており、車内に設置したスピーカから音声出力を行って搭乗者が視聴することを可能とする。また、ナビゲーション装置１は、ＬＡＮ（Local Area Network）やＷＡＮ（Wide Area Network）等のネットワークと接続する機能や、ＵＳＢ（Universal Serial Bus）等の有線通信網或いはＢｌｕｅｔｏｏｔｈ（登録商標）と称される近距離無線通信網との接続機能を設けてもよい。ナビゲーション装置１は、これらの接続機能を介して例えば携帯型のパーソナルコンピュータや情報端末装置（PDA:Personal Digital Assistant）或いは既設の他の車載装置等と接続されて情報等の相互授受が行われるようになる。ナビゲーション装置１は、例えばメモリーカード、光ディスクやディスクカートリッジ或いは磁気テープカセット等の各種の可搬型外部記録媒体が装填され、これら記憶媒体に記憶された情報を再生操作する機能も有している。
【手続補正４】
【補正対象書類名】明細書
【補正対象項目名】００２２
【補正方法】変更
【補正の内容】
【００２２】
ナビゲーション情報は、例えば道路地図データや地名等の検索データ或いは自動経路計算等に用いられる交通規制情報や受信したＧＰＳ信号に基づく現在位置を地図上に表示する際の道路リンク情報（ＰＯＩ情報；point of interest情報）等の情報からなる。ナビゲーション情報は、道路地図データとして一般的な平面地図データばかりでなく、鳥瞰地図データやユーザがある特定の場所に関して関連情報として付加したオリジナルのガイド情報等も含まれる。
【手続補正５】
【補正対象書類名】明細書
【補正対象項目名】００２５
【補正方法】変更
【補正の内容】
【００２５】
画像情報処理部８は、制御処理部４から出力されるナビゲーション情報やコンテンツに含まれる画像データに対して所定の信号処理を施し、液晶モニタ３から地図情報や映像の表示が行われるようにする。すなわち、画像情報処理部８は、制御処理部４から出力される上述した各画像情報に基づいて生成した画像イメージデータから画像データを生成して液晶モニタ３に出力する。画像情報処理部８は、表示解像度に応じた画面同期信号等のタイミング信号の生成、複数の画像データの合成或いは表示範囲の制御等の機能も奏する。なお、画像情報処理部８は、表示データを保持するデータ記憶部も保有しているが、このデータ記憶部については例えば制御処理部４の内部記憶部にその機能を保有させるようにしてもよい。
【手続補正６】
【補正対象書類名】明細書
【補正対象項目名】００２６
【補正方法】変更
【補正の内容】
【００２６】
音声情報処理部９は、制御処理部４から出力されるナビゲーション情報やコンテンツに含まれる音声・音響データに対して所定の信号処理を施し、スピーカ１０から音声等が出力されるようにする。音声情報処理部９は、制御処理部４から出力される音声・音響データに対してＤ／Ａ（digital/analog）変換、或いは設定されたボリューム値や音質の調整等の適宜の処理を行ってスピーカ２に出力する。音声情報処理部９には、詳細を省略するが音声合成部が備えられており、制御処理部４から出力される指示信号に基づいて適宜の音声メッセージを作成してスピーカ１０から出力するようにする。
【手続補正７】
【補正対象書類名】明細書
【補正対象項目名】００３０
【補正方法】変更
【補正の内容】
【００３０】
なお、タッチパネル１２については、上述した構造に限定されるものではなく、例えば液晶画面１１に指先を触れることによってマトリックス状に配列した透明電極間に生じる容量変化を計測して座標信号を得るようにしてもよい。タッチパネル１２は、所定位置の電極間の容量変化量をコントローラによって検出し、座標信号を出力する。
【手続補正８】
【補正対象書類名】明細書
【補正対象項目名】００３８
【補正方法】変更
【補正の内容】
【００３８】
ナビゲーション装置１においては、標準仕様として記憶部５に予め上述した符号とコマンド情報との対応テーブルを登録した状態でユーザに提供するようにするが、各ユーザ個人においてコマンド情報を適宜選択して新たな手書き符号Ａに割り付けるようにしてもよい。ナビゲーション装置１においては、各ユーザが、例えば液晶モニタ３の液晶画面１１に「手書き符号」登録のメニュー画面を表示させた状態で適宜の手書き符号を書き入れながら搭載機能を選択して登録操作を行う。かかる登録操作は、上述した手順、方法に限定されるものでは無いことは勿論である。
【手続補正９】
【補正対象書類名】明細書
【補正対象項目名】００４０
【補正方法】変更
【補正の内容】
【００４０】
したがって、ナビゲーション装置１においては、上述した手書き符号Ａとコマンド情報との割付・登録操作に際して、各ユーザが個々に手書き符号Ａによる認証情報の登録を行うようにしてもよい。ナビゲーション装置１においては、搭乗時にユーザによって認証情報の識別操作を行うことによって、個別に設定した手書き符号Ａとコマンド情報との対応によるオリジナルのナビゲーション機能が実行されるようになる。また、ナビゲーション装置１においては、認証情報の識別操作によって記憶部５に記憶したオリジナル情報の利用が可能となる。
【手続補正１０】
【補正対象書類名】明細書
【補正対象項目名】００４８
【補正方法】変更
【補正の内容】
【００４８】
一方、ナビゲーション装置１においては、手順ｓ−１２で一致する符号の検出が行われなかった場合に、書き入れられた符号が不適或いは登録されていない符号であると判断する。ナビゲーション装置１においては、制御処理部４から音声情報処理部９に対してガイド情報の作成指示が行われ、この指示に基づいて音声情報処理部９の音声合成部において例えば「もう一度入力して下さい」のガイド情報を合成してスピーカ１０から出力することによってユーザに報知する（Ｓ−１４）。